(57)【特許請求の範囲】
【請求項１】
浴槽載置場と洗い場とを補強架台上に接続固定する防水パンにおいて、上記洗い場の裏面に複数のボス部を突出形成し、上記浴槽載置場の表面に、これを一部窪ませて浴槽載置場の裏面に突出させてなる複数の凹部を設け、この凹部が上記ボス部の延長線上に位置し、上記洗い場の裏面に突出してなるボス部の突端部と上記補強架台とを、上記洗い場の裏面側からビスで固定するとともに、上記浴槽載置場の裏面に突出してなる凹部の突端部と上記補強架台とを、上記浴槽載置場の表面側から当該凹部の窪みにビスを挿入してビス止め固定してなることを特徴とする防水パン。
【発明の詳細な説明】
【０００１】
【発明の属する技術分野】
本発明は、ホテル、マンション、一般住宅等の浴室に設置される浴槽ユニットの防水パンに関する。
【０００２】
【従来の技術】
ＦＲＰ等の合成樹脂から形成される防水パンは、方形の底板部周囲を立設して側壁を形成し、その側壁先端を水平に折曲して壁付面となし、さらにその壁付面先端を立ち上がらせて立上り壁を形成してなる形状であって、ホテル、マンション、一般住宅等の浴槽ユニットに多く賞用されている。
【０００３】
近年、ホテル、マンション、一般住宅等の建築物では、劣化現象やリフォーム等により浴室内部の改造が推進されている。
【０００４】
前記浴室内部の改造は、現在設置されている防水パン、壁面、天井等からなる浴槽ユニットを分解して浴室外に運び出し、空になった浴室内に新しい防水パン、壁面、天井等を搬入して組み立てるのが常である。しかし、一般住宅、マンション等の浴室入口は狭いため、浴槽載置場および洗い場からなる防水パンの搬入および組立はそのままでは困難である。そこで、この場合は、現地において、一旦、防水パンを浴槽載置場と洗い場とに２分割して浴室内に搬入し、その後、浴槽載置場と洗い場の２分割片を、高さ調整ボルトを設けた補強架台によって一体に接続固定し、かつ高さ調整ボルトによる高さ調節後、防水パン据え付け作業を行っているのが現状である。
【０００５】
上記のように、浴室内では補強架台と浴槽載置場との接続、および補強架台と洗い場との接続が行われるが、現在実施されているこの種の接続作業は、浴室という限られた狭い空間での作業となるため、以下▲１▼〜▲４▼の手順に従って行っている。なお、洗い場の少なくとも両側には、洗い場の表面が平坦となるように洗い場の裏面にのみ突出してなるボス部（以下「洗い場裏面のボス部」と略して称する。）が設けられ、また、図５に示すように、浴槽載置場５には、浴槽載置場の表面が平坦となるように浴槽載置場５の裏面にのみ突出するボス部１０（以下「浴槽載置場裏面のボス部」と略して称する。）が設けられている。
【０００６】
▲１▼洗い場を裏返しにして、洗い場裏面のボス部に、断面ロ字状等の長尺の補強架台をビスで固定する。このとき、補強架台はその一部が洗い場より浴槽載置場方向に突出した形で配置固定される。
【０００７】
▲２▼先ず、補強架台の高さ調整ボルトを下にして洗い場を浴室床面に載置する。
【０００８】
▲３▼次に、洗い場より浴槽載置場方向に突出している補強架台の上に、浴槽載置場を設置する。
【０００９】
▲４▼そして、図５に示すように、浴槽載置場５の上面から浴槽載置場裏面のボス部１０を介して浴槽載置場５と補強架台８とを７０ｍｍの長尺のビス１４で固定する。なお、ビス１４の頭部と浴槽載置場５上面との間にはワッシャ１６とパッキン１７を介挿する。
【００１０】
【発明が解決しようとする課題】
しかしながら、上記のような従来の防水パンにあっては、図５に示すように浴槽載置場５と補強架台８とを浴槽載置場裏面のボス部１０を介して取付けビス１４で接続固定するものであるため、ボス部１０を貫通できる長いビスを用いなければならず、取付けビス１４が長いため、補強架台８の取付作業に時間を多く有する。また、長いビスは高価で、コスト高を招く。
【００１１】
さらに、従来の防水パン１によると、浴槽載置場裏面のボス部１０は防水パン１と一体に成形されるが、その一体成形の際、当該ボス部１０に巣が入る等の成形不良が発生し、そのため防水パン１と補強架台８とを完全に固定できず、安定な防水パン１の据え付けが困難となる場合もある。
【００１２】
また、従来の防水パン１においては、浴槽載置場５と補強架台８とを取付けビス１４により接続固定する際、当該ビス１４を浴槽載置場５の表面から補強架台８側に締め付けるが、そのビス１４の頭が浴槽載置場５の表面に複数突出するため、浴槽本体の底部裏面に設置されている浴槽脚の邪魔になり、浴槽の載置位置が制約される等の課題を有している。
【００１３】
本発明は上述の事情に鑑みてなされたもので、浴槽載置場と補強架台との取付作業性が良好で、しかも浴槽載置場裏面のボス部の成形不良による防水パンの不安定な据え付けを回避でき、さらに浴槽の載置位置を取付けビス１４によって妨げられることのない防水パンを安価に提供することを目的とする。
【００１４】
【課題を解決するための手段】
本発明は、図３および図４に示すように、浴槽載置場５と洗い場６とを補強架台８上に接続固定する防水パン１において、上記洗い場６の裏面に複数のボス部１０を突出形成し、上記浴槽載置場５の表面に、これを一部窪ませて浴槽載置場５の裏面に突出させてなる複数の凹部１２を設け、この凹部１２が上記ボス部１０の延長線上に位置し、上記洗い場５の裏面に突出してなるボス部１０の突端部と上記補強架台８とを、上記洗い場６の裏面側からビス１４で固定するとともに、上記浴槽載置場５の裏面に突出してなる凹部１２の突端部と上記補強架台８とを、上記浴槽載置場５の表面側から当該凹部１２の窪みにビス１３を挿入してビス止め固定してなることを特徴とする。
【００１５】
本発明では、浴槽載置場５と補強架台８との固定が従来のボス部に代えて凹部１２を介するものとなるので、従来の浴槽載置場のボス部５を省略できる。また、その固定に用いるビス１３は凹部１２の窪み底部を貫通するだけの短い安価なビスですむ。さらに、当該固定用のビス１３はその頭部が凹部１２の窪みに没入し、浴槽載置の妨げにならないように配置される。
【００１６】
【発明の実施の形態】
以下、本発明に係る防水パンの実施形態について図１乃至図４を用いて詳細に説明する。
【００１７】
図１は本発明に係る防水パンの実施形態を示す横断面図、図２は図１に示す防水パンの底面図、図３は図１に示す浴槽載置場５及び補強架台８を拡大した斜視図、図４は図１に洗い場６の分解斜視図である。
【００１８】
図１および図２に示すように、防水パン１は、方形の底板部１ａ周囲を立設して側壁２を形成し、該側壁２先端を水平に折曲して壁付面３を設け、さらにその壁付面３先端を立ち上がらせて立上り壁４を形成してなる形状であって、ＳＭＣ（シートモールディングコンパウンド）、ＦＲＰ等の合成樹脂により作製される。
【００１９】
また、防水パン１は、その底板部１ａの一方側が浴槽載置場５として、底板部１ａの他方側が洗い場６として設けられ、かつ防水パン据え付け時に、浴槽載置場５と洗い場６とに２分割される。なお、防水パン１の裏面には、縦横に複数のリブ７が形成されている。
【００２０】
洗い場６裏面の少なくとも両側には、図４に示すようなボス部１０が複数設けられており、これらのボス部１０は、いずれも洗い場６裏面に突出しているが、洗い場６表面側では突出も窪みもせず形成されている。
【００２１】
浴槽載置場５表面の少なくとも両側には、洗い場６裏面のボス部１０の延長線上に、図３に示すような凹部１２が複数設けられており、これらの凹部１２は、浴槽載置場５の表面側では窪み、その窪みの底部側が浴槽載置場５の裏面に突出するように形成されている。
【００２２】
つまり、洗い場６の裏面にはボス部１０が突出形成され、一方、浴槽載置場５の表面には、その表面を一部窪ませて浴槽載置場５の裏面に突出させてなる凹部１２が形成されている。
【００２３】
図１および図２に示すように、防水パン１の裏面には、断面ロ字状の補強架台８が取り付けられるが、この補強架台８は、ボルト等からなる複数の高さ調整部材９を備えるとともに、浴槽載置場５裏面と洗い場６裏面の両側に固定される。
【００２４】
補強架台８と洗い場６との固定方法は、図４に示すように、洗い場６裏面のボス部１０に補強架台８の嵌合装着孔８ａを嵌合させるとともに、補強架台８と洗い場６の裏面に突出してなるボス部１０の突端部とを、洗い場６の裏面側から取付けビス１４でビス止め固定するという方法を採用している。
【００２５】
一方、補強架台８と浴槽載置場５との固定方法は、図３に示すように、浴槽載置場５の裏面に突出してなる凹部１２の突端部と補強架台８とを、浴槽載置場５の表面側から当該凹部１２の窪みにビス１３を挿入してビス止め固定するという方法を採用している。
【００２６】
浴槽載置場５の略中央部には高さ調整用孔１１が設けられており、この高さ調整用孔１１は、防水パン１裏面に配置される補強架台８の高さ調整部材９（図１参照）により、防水パン１の高さ調整を行うことができるように開設したものである。なお、高さ調整用孔１１は、高さ調整部材９による高さ調整終了後に、漏水防止のため蓋と合成樹脂等により閉塞仕上げされる。
【００２７】
次に、上記の如く構成された防水パン１の据え付け方法について図１乃至図４を用いて説明する。
【００２８】
図１に示すように防水パン１は据え付けられるが、間口の狭い一般住宅、マンション等の浴室に据え付ける場合は、先ず、現場において、防水パン１に形成された隔壁１８に沿って、防水パン１を浴槽載置場５と洗い場６とに丸鋸等で２分割する。そして、図４に示すように、洗い場６を浴室内に搬入し反転させた後、洗い場６裏面のボス部１０に長尺の補強架台８を嵌合させ、かつ洗い場６裏面のボス部１０と補強架台８とを、洗い場６の裏面側から取付ビス１４で固定する。このとき、補強架台８は洗い場６より浴槽載置場５（図示省略）方向に突出して取り付けられる。
【００２９】
次に、上記の如く補強架台８を固定した洗い場６を、高さ調節部材９を下にして浴室床面に載置する。さらに、洗い場６より浴槽載置場５（図示省略）方向に突出している補強架台８上に浴槽載置場５を載置する。そして、図３に示すように、浴槽載置場５表面に形成された複数の凹部１２にビス１３を挿入し、この取付ビス１３により浴槽載置場５と補強架台８とを締結する。その後、凹部１２の上面は防水テープ等で覆い、浴槽載置場５と洗い場６との分割切断部１５（図２参照）については合成樹脂等で接続する。
【００３０】
以上のように、本実施形態の防水パン１にあっては、浴槽載置場５の表面に凹部１２を設け、その浴槽載置場５の裏面に突出してなる当該凹部１２の突端部と補強架台８とを、浴槽載置場５の表面側から当該凹部１２の窪みにビス１３を挿入してビス止め固定したものである。このように浴槽載置場５と補強架台８との固定が従来のボス部に代えて凹部１２を介するものとなるので、従来のボス部を省略でき、また、そのビス１３は凹部１２の窪み底部を貫通するだけの短いビスですむ。したがって、従来技術のような浴槽載置場５のボス部の成形不良による不具合、たとえば防水パン１の不安定な据え付け等を回避でき、防水パン１の据え付け性が向上するとともに、ビス１３が長いことによる不具合、たとえば、浴槽載置場５への補強架台８の取付作業に時間が多くかかることやコスト高も回避でき、浴槽載置場５と補強架台８との取付作業性が良好で、安価な防水パン１を得ることができる。さらに、固定用のビス１３はその頭部が凹部１２の窪みに没入するので、ビス頭部によって浴槽の載置が妨げられることもなく、浴槽の設置性の向上も図れる。
【００３１】
なお、上記実施形態は、浴室内の改造にあたり、出入口が狭く、出入口から防水パンの搬入ができない場合に、防水パン１を２分割する構成を採用したものであるが、上記実施形態に限定されることはなく、例えば、新築の場合、または浴室改造の場合であっても出入口が広く、防水パン１の搬入等の作業を容易に行える場合は、防水パン１を２分割することなく、そのまま設置する。
【００３２】
【発明の効果】
本発明に係る防水パンにあっては、上記の如く、浴槽載置場の表面に凹部を設け、その浴槽載置場の裏面に突出してなる上記凹部の突端部と補強架台とを、浴槽載置場の表面側から当該凹部の窪みにビスを挿入してビス止め固定したものである。このように浴槽載置場と補強架台との固定が従来のボス部に代えて凹部を介するものとなるので、従来のボス部を省略でき、ボス部の成形不良による不安定な防水パンの据え付け等を回避でき、防水パンの据え付け性の向上を図れる。また、その固定用のビスは凹部の窪み底部を貫通するだけの短い安価なビスですむので、浴槽載置場と補強架台との取付作業性が良好で、低コストの防水パンを提供できる。さらに、固定用のビスはその頭部が凹部の窪みに没入するので、ビス頭部によって浴槽の載置が妨げられることもなく、浴槽の設置性の向上も図れる。
【図面の簡単な説明】
【図１】本発明に係る防水パンの実施形態を示す横断面図。
【図２】図１に示す防水パンの底面図。
【図３】図１に示す浴槽載置場及び補強架台を拡大した斜視図。
【図４】図１に示す洗い場の解斜視図。
【図５】従来の防水パンの斜視図。
【符号の説明】
１  防水パン
１ａ  底板部
２  側壁
３  壁付け面
４  立上り壁
５  浴槽載置場
６  洗い場
７  リブ
８  補強架台
８ａ  嵌合装着孔
９  高さ調整部材
１０  ボス部
１１  高さ調整用孔
１２  凹部
１３  ビス
１４  取付けビス
１５  分割切断部
１６  ワッシャ
１７  パッキン
１８  隔壁
【図１】
0003844099.tif 000002
【図２】
0003844099.tif 000003
【図３】
0003844099.tif 000004
【図４】
0003844099.tif 000005
【図５】
0003844099.tif 000006